(57)【特許請求の範囲】
【請求項１】
複数の線状体からなる線状物と、
前記線状物を結束する結束部と、該結束部に連なり且つ被固定部に固定される固定部とを有した固定部材と、
を備えた線状物の固定構造において、
一部かつ２以上の線状体の外周面に直接配されて、前記線状物の長手方向における前記結束部の位置と、前記線状物の周方向における前記固定部の位置とを指示する指示手段を備え、
前記固定部材と前記指示手段とが別体である
ことを特徴とする線状物の固定構造。
【請求項２】
前記指示手段が、前記一部かつ２以上の線状体を結束する結束部材であるとともに、
前記結束部と前記固定部とが、前記結束部材の近傍に配された
ことを特徴とする請求項１に記載の線状物の固定構造。
【請求項３】
前記結束部材と異なる色に形成され、前記線状物を結束する第二の結束部材を備えた
ことを特徴とする請求項２に記載の線状物の固定構造。
【発明の詳細な説明】
【技術分野】
【０００１】
本発明は、複数の線状体からなる線状物と、該線状物を結束して被固定部に固定する固定部材とを備えた線状物の固定構造に関する。
【背景技術】
【０００２】
自動車には多くの電子機器が搭載されており、電子機器はワイヤハーネスを介して自動車や他の電子機器と接続されている。ワイヤハーネスは、複数の電線からなる電線束と、該電線束を構成する電線のそれぞれの端末に取り付けられたコネクタとを備えている。ワイヤハーネスと電子機器とは、それぞれが備えたコネクタ同士が嵌合することにより接続され、ワイヤハーネスは電子機器に電力や制御信号等を伝達する。
【０００３】
このようなワイヤハーネスは、例えば、車体を構成するパネルに配索される。電線束は、固定部材によってパネルに固定されてパネルに配索される（例えば、特許文献１参照）。この固定部材は、まず電気接続箱をパネルに固定し、次いで電線束が取り付けられて該電線束をパネルに固定することによって電線束を所望の配索経路に沿って配索する。
【０００４】
また、予め電線束に固定部材を取り付け、該固定部材をパネルに固定することによって電線束を配索することも可能である。このような固定部材は、電線束を結束する結束部と、該結束部に連なり且つパネルに固定される固定部とを備えている。固定部は、結束部の外方向に向かって突出している。
【０００５】
固定部材は、結束部が電線束の長手方向において所望の位置に配され、且つ、固定部が電線束の周方向においてパネルに向かって突出するような位置（向き）に配されて電線に取り付けられるが、このように固定部材を電線束の所望の位置に取り付けるためには、従来、ワイヤハーネス組立装置が用いられており、組立工程が複雑化するといった問題があった。
【０００６】
このような問題を解決するために、例えば、電線束の固定部材を取り付ける部分に、目印として予め粘着テープ等の結束部材を巻きつけておくことが考えられる。図６は、結束部材１０４で結束された電線束１０２を示している。電線束１０２は図示例では三本の電線１２１からなり、結束部材１０４はこれら三本の電線１２１を結束している。結束部材１０４の外表面に固定部材１０３を取り付けることによって、結束部１３１を電線束１０２の長手方向において所望の位置に簡単に配することができる。
【特許文献１】特開平１１−２５２７４２号公報
【発明の開示】
【発明が解決しようとする課題】
【０００７】
しかしながら、前述した結束部材は、電線束の周方向における固定部の位置の目印にはならないので、固定部をパネルに向かって突出するように配することが困難であるといった問題があった。
【０００８】
また、電線束に直接固定部材を取り付けずに、樋状の本体部と該本体部を覆うカバー部とからなるプロテクタに予め所望の位置に配された固定部材を取り付けておき、このプロテクタ内に電線を通して電線を配索することもできるが、プロテクタが別部品として必要になり、部品点数の増加によるコストの高騰や組立工程数の増加といった問題があった。
【０００９】
本発明は、このような問題を解決することを目的としている。即ち、本発明は、線状物の所望の位置及び向きに固定部材を簡単に取り付けることができる線状物の固定構造を提供することにある。
【課題を解決するための手段】
【００１０】
前記課題を解決し目的を達成するために、請求項１に記載された発明は、複数の線状体からなる線状物と、前記線状物を結束する結束部と該結束部に連なり且つ被固定部に固定される固定部とを有した固定部材とを備えた線状物の固定構造において、一部かつ２以上の線状体の外周面に直接配されて、前記線状物の長手方向における前記結束部の位置と、前記線状物の周方向における前記固定部の位置とを指示する指示手段を備え、前記固定部材と前記指示手段とが別体であることを特徴とした線状物の固定構造である。
【００１１】
請求項２に記載された発明は、請求項１に記載された線状物の固定構造において、前記指示手段が、前記一部かつ２以上の線状体を結束する結束部材であるとともに、前記結束部と前記固定部とが、前記結束部材の近傍に配されたことを特徴とした線状物の固定構造である。
【００１３】
請求項３に記載された発明は、請求項２に記載された線状物の固定構造において、前記結束部材と異なる色に形成され、前記線状物を結束する第二の結束部材を備えたことを特徴とした線状物の固定構造である。
【発明の効果】
【００１４】
請求項１に記載された発明によれば、一部かつ２以上の線状体の外周面に直接配されて、線状物の長手方向における結束部の位置と、線状物の周方向における固定部の位置とを指示する指示手段を備えているので、指示手段にしたがって固定部材を取り付けることによって、線状物の所望の位置及び向きに固定部材を簡単に取り付けることができる。
【００１５】
請求項２に記載された発明によれば、指示手段が一部かつ２以上の線状体を結束する結束部材であるとともに、結束部と固定部とが結束部材の近傍に配されているので、結束部材を目印に固定部材を取り付けることによって、固定部材を所望の位置及び向きに簡単に取り付けることができる。
【００１７】
請求項３に記載された発明によれば、結束部材と異なる色に形成され、線状物を結束する第二の結束部材を備えているので、固定部材を取り付ける前の線状物がばらばらになることがなく、また、第二の結束部材を結束部材と誤認してしまうのを防止することができる。
【発明を実施するための最良の形態】
【００１８】
以下、本発明の第一の実施形態にかかる線状物の固定構造１を図１及び図２を参照して説明する。本発明の第一の実施形態にかかる線状物の固定構造１は、電線束２（線状物に相当する）を移動体としての自動車の車体を構成するパネル６（被固定部に相当する）等に固定する。線状物の固定構造１は、図１に示すように、電線束２と、固定部材３と、指示手段としての結束部材４と、第二の結束部材５とを備えている。
【００１９】
パネル６には、パネル６を貫通した孔６１が設けられている。孔６１内には固定部材３の後述する固定部３２が通されて、パネル６に固定部材３が固定される。電線束２は、パネル６の外表面に配索される。
【００２０】
電線束２は、移動体としての自動車に配索されるワイヤハーネスを構成する。電線束２は、複数の電線２１（線状体に相当する）からなり、図示例では三本の電線２１からなる。電線２１は、図２等に示すように、導電性の芯線２２と、絶縁性の被覆部２３とを備えている。
【００２１】
芯線２２は、複数の素線が撚られて形成されている。芯線２２を構成する素線は、導電性の金属材料からなる。また、芯線２２は、一本の素線から構成されていてもよい。被覆部２３は、例えば、ポリ塩化ビニル等の合成樹脂からなる。被覆部２３は、芯線２２を被覆している。芯線２２とこの芯線２２を被覆する被覆部２３とで、電線２１は断面形状が円形に形成されている。
【００２２】
固定部材３は、絶縁性の合成樹脂等からなる。固定部材３は、図１及び図２に示すように、電線束２を結束する結束部３１と、該結束部３１に連なり且つパネル６に固定される固定部３２とを備えている。結束部３１は、図２に示すように、帯板状のバンド３３と、バンド３３の基端に設けられた挿通係止部３４とを備えている。
【００２３】
バンド３３は可撓性を有し、電線束２の外周面に配される。該外周面から離れたバンド３３の外表面には、鋸歯状の複数の係止突起３３ａが設けられている。係止突起３３ａは、バンド３３の表面に略直交する係止面と、摺接用の傾斜面とを有している。
【００２４】
挿通係止部３４は、枠部３４ａと、枠部３４ａ内に突出した係止片３４ｂとを備えている。枠部３４ａは、バンド３３の長手方向に沿って開口しており、内部にバンド３３を通す。係止片３４ｂは、可撓性を有している。係止片３４ｂは、枠部３４ａ内に通されたバンド３３の係止突起３３ａを係止する。
【００２５】
前述した構成の結束部３１は、電線束２の外周面に配された状態で枠部３４ａ内にバンド３３の先端が挿通され、バンド３３で電線束２を締め付けて係止突起３３ａを係止片３４ｂで係止することによって、電線束２を結束する。なお、枠部３４ａを貫通したバンド３３の先端側は、適宜切断する。
【００２６】
固定部３２は、枠部３４ａの外表面から突出した支柱３５と、支柱３５の先端に連なる係止羽根３６と、支柱３５の基端に連なる当接羽根３７とを備えている。
【００２７】
係止羽根３６は、帯板状に形成されて支柱３５に沿って設けられ、長手方向の一端部が支柱３５の先端に連なり、他端部が支柱３５の基端側に配されている。係止羽根３６は、支柱３５の基端に向かうにしたがって支柱３５から離れるように設けられている。係止羽根３６は、支柱３５を互いの間に位置付けるように一対設けられている。係止羽根３６は、前記他端部が支柱３５に近づく方向に弾性変形自在に設けられている。係止羽根３６の前記他端部側には、係止羽根３６の幅方向に沿った段差３６ａが設けられている。
【００２８】
当接羽根３７は、フード状に形成されて支柱３５の基端から支柱３５の先端に向かって延びて設けられ、支柱３５の先端に向かうにしたがって支柱３５から離れるように設けられている。
【００２９】
前述した構成の固定部３２は、支柱３５の先端側からパネル６の孔６１に通される。すると、係止羽根３６が、孔６１の内面と当接して弾性変形して段差３６ａが孔６１を通り抜けた後に弾性復元し、孔６１の内面を押圧する。そして、段差３６ａと当接羽根３７の先端との間にパネル６が位置付けられて、固定部３２がパネル６に固定されて、電線束２がパネル６に固定されて配索される。
【００３０】
結束部材４（図１）は、ポリ塩化ビニル等からなる粘着テープであり、例えば、白色のものが用いられる。結束部材４の色は、勿論、どんな色のものでも用いることができるが、被覆部２３と異なる色であることが好ましい。結束部材４は、図１及び図２に示すように、一部の電線２１の外周面に配されている。即ち、結束部材４は、三本の電線２１のうちの、パネル６に電線束２を配索する際にパネル６寄りに配される二本の電線２１に巻きつけられている。結束部材４は、二本の電線２１の長手方向の一部に巻きつけられている。結束部材４は、二本の電線２１を一つに結束するように巻きつけられている。
【００３１】
前述した構成の結束部材４は、電線束２の長手方向における固定部材３の結束部３１の位置と、電線２１の周方向における固定部材３の固定部３２の位置とを指示する。即ち、結束部３１と固定部３２とが結束部材４の近傍に配されている。より具体的には、結束部材４に重なるように結束部３１が配されており（図１）、結束部材４が巻きつけられた二本の電線２１側に固定部３２が配されている（図２）。なお、結束部３１は、必ずしも固定部材３と重なり合わなくてもよい。
【００３２】
第二の結束部材５（図１）は、ポリ塩化ビニル等からなる粘着テープである。第二の結束部材５の色は、結束部材４と明確に区別がつくように結束部材４と異なる色で形成されていることが好ましい。第二の結束部材５は、電線束２、即ち、三本の電線２１すべてを結束している。第二の結束部材５は、結束部材４の両側に設けられている。なお、第二の結束部材５を結束部材４の片側だけに設けてもよい。
【００３３】
前述した構成の線状物の固定構造１において電線束２をパネル６に固定する際には、まず、三本の電線２１のうちのパネル６寄りに配される二本の電線２１に結束部材４を巻きつける。電線束２の複数の箇所を異なる方向に対して固定したい場合は、図１に示すように、それぞれの箇所においてパネル６寄りに配される電線２１に結束部材４を巻きつける。
【００３４】
そして、結束部材４を目印にして電線束２に固定部材３を取り付ける。まず、結束部材４に重なるように結束部３１を配して固定部材３を電線束２の長手方向において位置決めする。続いて、電線束２の結束部材４が巻きつけられた側に固定部３２を配して固定部材３を電線束２の周方向において位置決めした後、固定部材３で電線束２を結束する。そして、固定部３２をパネル６の孔６１に押し込んで固定部３２をパネル６に対して固定して、電線束２を配索する。
【００３５】
本実施形態によれば、一部の電線２１の外周面に配されて、電線束２の長手方向における結束部３１の位置と、電線束２の周方向における固定部３２の位置とを指示する結束部材４を備えているので、結束部材４にしたがって固定部材３を取り付けることによって、電線束２の所望の位置及び向きに固定部材３を簡単に取り付けることができる。
【００３６】
結束部材４が一部の電線２１を結束するとともに、結束部３１と固定部３２とが結束部材４の近傍に配されているので、結束部材４を目印に固定部材３を取り付けることによって、固定部材３を所望の位置及び向きに簡単に取り付けることができる。
【００３７】
結束部材４と異なる色に形成され、電線束２を結束する第二の結束部材５を備えているので、固定部材３を取り付ける前の電線束２がばらばらになることがなく、また、第二の結束部材５を結束部材４と誤認してしまうのを防止することができる。
【００３８】
本実施形態においては、結束部材４は、図１及び図２に示すように、二本の電線２１を一つに結束するように巻きつけられていた。しかしながら本発明では、図３に示すように、二本の電線２１のそれぞれに結束部材４が巻きつけられていてもよい。この場合、二本の電線２１は、結束部材４によって一つに結束されないことになる。
【００３９】
また、本実施形態においては、電線２１を線状体とし電線束２を線状物とした。しかしながら本発明は、例えば光ファイバー等の他の長尺な物体にも適用することができる。
【００４０】
また、本実施形態においては、パネル６を被固定部とした。しかしながら本発明では、例えば電線束２を電気接続箱の外表面に固定してもよく、被固定部がパネル６に限定されることはない。
【００４１】
次に、本発明ではないが、参考となる参考例の線状物の固定構造１を、図４を参照して説明する。なお、前述した第一の実施形態と同一構成部分には、同一符号を付して説明を省略する。
【００４２】
参考例における結束部材４は、三本の電線２１のうちの、パネル６に電線束２を配索する際にパネル６から離れて配される一本の電線２１に巻きつけられている。
【００４３】
前述した構成の結束部材４は、電線束２の長手方向における固定部材３の結束部３１の位置と、電線２１の周方向における固定部材３の固定部３２の位置とを指示する。即ち、結束部３１が結束部材４の近傍に配され、固定部３２が結束部材４の巻きつけられた一本の電線２１から離れた側に配されている。より具体的には、結束部材４に重なるように固定部材３の結束部３１が配されており、電線束２の軸心を挟んで結束部材４の反対側に固定部３２が配されている。
【００４４】
参考例においては、一部の電線２１の外周面に配されて、電線束２の長手方向における結束部３１の位置と、電線束２の周方向における固定部３２の位置とを指示する結束部材４を備えているので、結束部材４にしたがって固定部材３を取り付けることによって、電線束２の所望の位置及び向きに固定部材３を簡単に取り付けることができる。
【００４５】
結束部材４が一部の電線２１を結束するとともに、結束部３１が結束部材４の近傍に配され、固定部３２が電線束２の軸心を挟んで結束部材４の反対側に配されているので、結束部材４を目印に固定部材３を取り付けることによって、固定部材３を所望の位置及び向きに簡単に取り付けることができる。
【００４６】
結束部材４と異なる色に形成され、電線束２を結束する第二の結束部材５を備えているので、固定部材３を取り付ける前の電線束２がばらばらになることがなく、また、第二の結束部材５を結束部材４と誤認してしまうのを防止することができる。
【００４７】
次に、本発明の第二の実施形態にかかる線状物の固定構造１を、図５を参照して説明する。なお、前述した第一の実施形態と同一構成部分には、同一符号を付して説明を省略する。
【００４８】
本発明の第二の実施形態にかかる線状物の固定構造１は、電線束２が多数の電線２１からなるとともに、多数の電線２１のうちの、パネル６に電線束２を配索する際にパネル６寄りに配される一部の電線２１に巻きつけられている。なお、電線束２を構成する電線２１の数や、結束部材４が巻きつけられる電線２１の数は、図示例に限定されることはない。
【００４９】
前述した構成の結束部材４は、電線束２の長手方向における固定部材３の結束部３１の位置と、電線２１の周方向における固定部材３の固定部３２の位置とを指示する。即ち、結束部３１と固定部３２とが結束部材４の近傍に配されている。より具体的には、結束部材４に重なるように固定部材３の結束部３１が配されており、結束部材４が巻きつけられた一部の電線２１側に固定部３２が配されている。
【００５１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】本発明の第一の実施形態にかかる線状物の固定構造を示す側面図である。
【図２】図１中のＩＩ−ＩＩ線に沿った断面図である。
【図３】図２に示された結束部材の変形例を示す断面図である。
【図４】参考例の線状物の固定構造を示す断面図である。
【図５】本発明の第二の実施形態にかかる線状物の固定構造を示す断面図である。
【図６】従来の線状物の固定構造を示す側面図である。
【符号の説明】
【００５３】
１    線状物の固定構造
２    電線束（線状物）
３    固定部材
４    結束部材（指示手段）
５    第二の結束部材
６    パネル（被固定部）
２１    電線（線状体）
３１    結束部
３２    固定部
【図１】
0005221081.tif 000002
【図２】
0005221081.tif 000003
【図３】
0005221081.tif 000004
【図４】
0005221081.tif 000005
【図５】
0005221081.tif 000006
【図６】
0005221081.tif 000007